(57)【特許請求の範囲】
【請求項１】
充放電用正負極端子が発電要素体から引き出された扁平型二次電池において、
前記充放電用正負極端子とは別に、正極体または負極体の未塗布部に、充放電用正負極端子と別の場所に直接接続された、第３の端子を有し、前記第３の端子は正負極のいずれか一方に等しい電位を持たせており、前記第３の端子は、制御用回路に接続される、扁平型二次電池。
【請求項２】
前記制御用回路は、セルバランサー回路である、請求項１記載の扁平型二次電池。
【請求項３】
請求項１または請求項２記載の扁平型二次電池を複数個用いて構築される直列タイプのバッテリー。
【発明の詳細な説明】
【０００１】
【発明の属する技術分野】
本発明は、二次電池、および、二次電池で構成されるバッテリーに関する。
【０００２】
【従来の技術】
近年、二次電池を用いた中・大容量バッテリーの需要が高まっている。特に電動自転車をはじめ、電動バイク、電気自動車への用途における需要が高まっており、電力的には１００Ｗ〜１０００Ｗの中電力バッテリーや１０００Ｗ以上の大電力バッテリーが注目を集めている。
【０００３】
二次電池を用いた従来の中・大容量バッテリーは、鉛電池やニッケル水素電池を大量に組み合わせた、高価で重量密度および体積密度の小さい大型のバッテリーが主流であった。しかしながら、大電力バッテリーの需要が伸びるとともに、安価で重量密度および体積密度が大きく、小型で大電力を消費できるバッテリーが望まれてきている。
【０００４】
一方、素電池としては、高電位タイプのリチウムイオン二次電池が登場し、軽量なラミネートフィルムを外装体とする二次電池が主流になってきている。そこで、ラミネートフィルムを外装体とする、軽量かつ大容量のリチウムイオン二次電池を用いた小型軽量の大電力バッテリーを早期に開発する必要性が出てきた。特に、自動車用バッテリーには急速充放電特性および高サイクル寿命が要求されるため、バッテリーの低抵抗化、急速充電による発熱問題、バッテリー内部のセルバランス制御、精度の高いサイクル寿命推定回路等、早期に解決すべき課題が多い。
【０００５】
【発明が解決しようとする課題】
従来型二次電池の場合、内部温度の測定は、二次電池表層に温度センサを取り付けるか、正負極端子に温度センサを取り付けるかのいずれかの方法を採用することが多かった。しかしながら、二次電池表層に温度センサを取り付けた場合、バッテリー構築時に二次電池を複数積層して組み上げることが困難となる。なぜなら、ラミネートフィルムを外装体とする扁平型二次電池を積層するため、二次電池間に温度センサが挟まれてしまい、積層した二次電池間の平均的な温度を検出したり、二次電池自体が損傷したりしてしまうことがあるからである。温度センサを避け二次電池同士を積層するために、二次電池間にスポンジシート等の弾性材を挟む場合もあるが、体積密度および重量密度が低下することになる。さらに、バッテリー構築時に工程が増えるともに部材コストも増加してしまう。一方、正負極端子に温度センサを取り付ける場合は、温度センサを取り付けるために、余分に長い端子が必要となる。このため、バッテリー構築時にその分広い体積を必要とすることから体積密度の低下を招く。さらに、急速充放電を行った場合には端子が発熱するため、セル内部の温度ではなく端子の温度を検出してしまい、二次電池の寿命推定にずれを生じさせる原因となっていた。
【０００６】
従来、バッテリーにセルバランサー回路等を接続する際には、セル間の接続時に、充放電用正負極端子からセルバランサー回路用リード線を引き出したり、セル間をバスバー接続した後、バスバーからセルバランサー回路用リード線を引き出したりしなくてはならなかったため、セルバランサー回路等の制御系の取り付けも容易ではなかった。さらに、充放電用正負極端子からセルバランサー回路用リード線を取り出すため、電極端子を短くすることはできず、バッテリーとしての内部抵抗も低下させることができなかった。
【０００７】
本発明の目的は、急速充放電時に生じる二次電池の温度上昇（発熱）を従来よりも精度良く測定できるとともに、バッテリーの低抵抗化を実現し、バッテリーを容易に構築可能な二次電池、およびそれを用いたバッテリーを提供することにある。
【０００８】
【課題を解決するための手段】
上記目的を達成するために、本発明は、従来の二次電池に第３の端子をラミネートフィルムの封止辺より引き出すように取り付ける。この際、二次電池を構成する発電要素体の正負電極集電部のいずれか一方から、充放電用正負極端子とは別に、第３の端子を直接引き出し、正負電極のいずれか一方の電位に等しい電位を持たせるようにする。このように従来の二次電池形状を大きく損なうことなく、かつ、二次電池作製工程に１工程を追加するのみで上記目的を達成できる。
【０００９】
第３の端子に温度センサを取り付けることにより、二次電池の内部温度、すなわち，発電要素体の温度を、充放電用正負極端子の発熱を避けて精度よく検出できる。
【００１０】
第３の端子を正負極端子とは直角に引き出すことによって、バッテリー構築時のセルバランサー回路の取り付けが容易となる。なぜなら、第３の端子に正負電極のいずれか一方に等しい電位を持たせているため、バッテリー構築時のセル間の接続には二次電池の正負極端子を用いて直接セル同士を接続することができるとともに、セルバランサー回路等の制御系には第３の端子を用いることが可能となるためである。
【００１１】
【発明の実施の形態】
次に、本発明の実施の形態について図面を参照して説明する。
【００１２】
図１（ａ）を参照すると、本発明の一実施形態の扁平型ラミネートフィルム二次電池１は、正極端子２と負極端子３以外に、第３の端子４を設けることを特徴としている。図１（ｂ）を参照すると、従来の扁平型ラミネートフィルム二次電池１が示されている。
【００１３】
本発明の扁平型ラミネートフィルム二次電池１は以下のように作製される。まず、図２に示すように正極体５と負極体６を、セパレータ７を挟みながら交互に積層して発電要素体８を形成する。次いで、図３に示すように発電要素体８の正極体５と負極体６の活物質が無い未塗布部（電極集電部）２ａと３ａに、正極端子２と負極端子３をそれぞれ取り付ける。次いで、正極体５または負極体６のいずれか一方の未塗布部部分２ａまたは３ａに、第３の端子４を直接接続する。図３では、正極体５の未塗布部２ａに第３の端子４が接続されている。この際、第３の端子４は正極端子２と接触しないように取り付ける。急速充電時に生じる正極端子２の発熱の影響を極力抑えるため、できるだけ両端子は離して取り付けるのが望ましい。以後の工程では、図４に示すように、通常のラミネートフィルム作製工程と同様、ラミネートフィルム外装体９で正負極端子２、３と第３の端子４を取り付けた発電要素体８を包み、３方向を熱融着封止した後、非水系電解液を注入し、減圧下で完全封止を行う。なお、発電要素体８の正極体５と負極体６の活物質が無い未塗布部（電極集電部）２ａと３ａは、図５に示すように、対向するようにしてもよい。
【００１４】
以下、本発明の扁平型ラミネートフィルム二次電池１を実際に作製した例により、本発明をさらに詳しく説明する。
【００１５】
本発明の実施例１ではまず、リチウムイオンを吸蔵・放出するリチウムイオン含有金属酸化物のリチウムマンガン複合酸化物を２０μｍ厚のアルミ箔シートに７０μｍ程度両面塗布した正極体５と、リチウムイオンを吸蔵・放出するハードカーボン系の負極活物資を１５μｍ厚の銅箔シートに５０μｍ程度両面塗布した負極体６と、２５μｍ厚の多孔性絶縁樹脂薄膜シートであるポリエチレンフィルムとポリプロピレンフィルムの積層型セパレータ７を電極集電部（未塗布部）２ａ、３ａが同一辺より取り出せるよう交互に積層し、正極体５と負極体６の電極集電部２ａと３ａに、１００μｍ厚のアルミ正極端子２と１００μｍ厚のニッケル負極端子３を超音波溶接によりそれぞれ取り付ける。次いで、正極集電部（未塗布部）２ａより１００μｍ厚のアルミ端子を正負極端子の延びる方向とは垂直方向に引き出すように超音波溶接にて取り付け、第３の端子４とした。第１の実施例では超音波溶接を用いたが、抵抗溶接であってもリベット固定であっても電気的導通が取れる方法であればよい。次いで、１００μｍ程度の厚さのアルム箔のラミネートフィルム９で包み、内部にプロピレンカーボネートとメチルエチルカーボネートの非水系溶媒に六フッ化リン酸リチウムを溶解させた電解液を注入し、減圧下で熱融着封止を行った。使用した正極体５の寸法は６５ｍｍ×１２０ｍｍ、負極体６の寸法は７０ｍｍ×１２５ｍｍ、セパレータ７の寸法は７５ｍｍ×１３０ｍｍ、正極端子２および負極端子３の寸法は４０ｍｍ×１０ｍｍ、第３の端子４の寸法は３０ｍｍ×５ｍｍ、外装体のラミネートフィルム９の外寸は９５ｍｍ×１６０ｍｍ、熱融着封止幅は１０ｍｍとした。
【００１６】
実施例２では、負極の電極集電部２ａよりニッケルの第３の端子４を取り出した。
【００１７】
実施例３は、図５に示すように、電極集電部（未塗布部）２ａと３ａが対向するように正極体５と負極体６を、セパレータ７を挟みながら交互に積層し、正極体の電極集電部（未塗布部）２ａの端よりアルミの第３の端子４を、正負極端子２、３の延びる方向とは垂直に、正極端子２より十分離した位置から取り出した。
【００１８】
実施例４は、実施例３の要素発電体８の負極体６の電極集電部（未塗布部）３ａの端から、ニッケルの第３の端子４を、負極端子３より十分離して取り出した。
【００１９】
実施例２から４の部材および部材寸法は、実施例１と同様である。正負極端子の取り出し方向および第３の端子の電位をそれぞれ変更しただけである。実施例１から４の扁平型ラミネートフィルム二次電池は、４．２Ｖ（２Ａｈ）の特性を有する。なお、厚みは４ｍｍ、重量は８０ｇであった。
【００２０】
実施例１から４の扁平型ラミネートフィルム二次電池を用いて、二次電池内部の温度を測定した結果を表１に示す。測定条件としては、２０℃環境下で５０Ａの強制放電を５秒間実施し、このときの正負極端子、第３の端子、扁平型ラミネートフィルム二次電池の表面の３箇所における最大到達温度を熱電対により測定し、表面温度を基準に各部位の温度上昇分（差分）を求めた。表１はこの温度上昇分を示している。なお、正負極端子および表面は従来の扁平型ラミネートフィルム二次電池の内部温度測定箇所に相当する。
【００２１】
【表１】
0004228177.tif 000002
【００２２】
表１からわかるように、実施例１と実施例２の正負極端子差分温度（セル表面温度との差）は、正極端子で３０℃程度、負極端子で５０℃弱と非常に大きい。一方、第３の端子差分温度は正極電位側で３．５℃、負極端子側で９．０℃であり、従来よりも大幅にセル内部温度を精度よく測定できることを示している。実施例３と実施例４についても、正負極端子差分温度（セル表面温度との差）は正極端子で３０℃程度、負極端子で５０℃弱と非常に大きい。一方、第３の端子差分温度は正極電位側で０℃、負極端子側で１．０℃であり、実施例１、実施例２の第３の端子差分温度より、さらにセル内部温度に近い値を示している。これは実施例３、実施例４の第３端子の引き出し位置が、正負極端子より十分離れた位置に取り付けているため、正負極端子の発熱の影響を実施例１および実施例２よりも受けにくいためであると考えられる。
【００２３】
本発明の第３の端子を有する扁平型ラミネートフィルム二次電池は、実施例１から実施例４のいずれにおいても、従来のものより格段に精度よくセル内部温度を測定することが可能となる。さらに、第３の端子の差分温度は正極電位側が負極電位側より低い傾向を示すことから、実施例３が最もセル内部温度に近い値を第３の端子から得ることができるとわかった。
【００２４】
図６を参照すると、本発明の扁平型ラミネートフィルム二次電池１を用いたバッテリーの一実施形態が示されている。１０個の扁平型ラミネートフィルム二次電池１を用いて積み重ねながら、充放電用正負極端子を直接、直列接続したものであり、かつ、第３の端子４を一方向に揃えた構造である。この構造は、実施例４に記載の扁平型ラミネートフィルム二次電池１の第３の端子４に、温度検出センサ１０とセルバランサー回路用リード線１１を接続した後、充放電用正負極端子を直列接続になるよう端子同士を直接接続しながら重ねて構築したものである。図６からわかるように、扁平型ラミネートフィルム二次電池間には、温度検出センサや弾性体のスポンジシート等は無く、最も体積効率が良くなるよう積層されている。図７を参照すると、このように組み上げられた扁平型ラミネートフィルム二次電池１を、第３の端子４から延びる温度検出センサ１０とセルバランサー回路用リード線１１をそれぞれ制御用回路１２に接続し、厚さ２ｍｍのアルミ外装体１３で覆って作製されたバッテリーが示されている。
【００２５】
図８を参照すると、比較のための従来のバッテリーが示されている。実施例４に記載の扁平型ラミネートフィルム二次電池から第３の端子が無い二次電池を用い、温度検出センサ１０は扁平型ラミネートフィルム二次電池１の中央表面部に取り付け、セルバランサー回路用リード線１１は充放電用正負極端子の正極端子側に接続した後、扁平型ラミネートフィルム二次電池１を直列に接続するよう充放電正負極端子同士を直接接続し、弾性体スポンジシート１４（重量１５ｇ、外寸２ｍｍ×７０ｍｍ×１２０ｍｍ）を挟みながら積み上げた。このように扁平型ラミネートフィルム二次電池１を組み上げた後、温度検出センサ１０とセルバランサー回路用リード線１１をおのおの制御用回路１２に接続し、図７と同様に厚さ２ｍｍのアルミ外装体で覆ってバッテリーを作製した。その結果、本実施形態のバッテリーの方が従来のバッテリーより体積比で３５％減、重量比で１０％減となり、バッテリーとしての体積密度および重量密度を向上させることができるとわかった。
【００２６】
本実施形態においては、第３の端子は、充放電正負極端子が取り付けられていない、長方形の扁平型ラミネートフィルム二次電池の一辺から、充放電正負極端子が延びる方向とは垂直に引き出されている。充放電正負極端子が引き出される方向と第３の端子が引き出される方向のなす角度は、第３の端子に接続されるセルバランサー回路等が余分なスペースを取らずにコンパクトに取り付けられるのであれば、必ずしも垂直である必要はない。また、扁平型ラミネートフィルム二次電池の形状も、セルバランサー回路等が余分なスペースを取らずにコンパクトに取り付けられるのであれば、長方形以外の形状であってもよい。
【００２７】
【発明の効果】
以上説明したように、本発明によれば、充放電用の正負極端子の他に、正負電極いずれか１つと等しい電位を持った第３の端子を発電要素体より引き出し、第３の端子の温度を測定することによって、扁平型ラミネートフィルム二次電池の内部温度を精度よく測定でき、バッテリーとしてのサイクル寿命を精度よく推定することができるようになる。さらに、バッテリー構築の際の二次電池の積層をコンパクトにできる。
【００２８】
また、第３の端子が電位を有し、セルバランサー回路用のリード線取り付け部としても兼用できることから、バッテリー構築時の制御用配線の引き回しが簡単に行えるようになるため、セルバランサー回路等の制御系も容易に取り付けることが可能となる。その結果、バッテリーの製造工程を簡素化することも可能となり、製造コストを低減できる。
【００２９】
さらに、充放電用正負極端子に温度センサとセルバランサー回路用リード線を取り付ける必要が無くなるため、電極端子を短く最適化でき、かつ、端子同士を直接的に接続することが容易となるため、バッテリーとしての内部抵抗も低下させることができるようになる。
【図面の簡単な説明】
【図１】  （ａ）は本発明の扁平型ラミネートフィルム二次電池の斜視図であり、（ｂ）は従来の扁平型ラミネートフィルム二次電池の斜視図である。
【図２】発電要素体の内部構成図である。
【図３】本発明の扁平型二次電池の斜視図である。
【図４】本発明の扁平型ラミネートフィルム二次電池の構成図である。
【図５】本発明の別の扁平型二次電池の斜視図である。
【図６】本発明の扁平型ラミネートフィルム二次電池を用いたバッテリーの構成図である。
【図７】本発明の扁平型ラミネートフィルム二次電池を用いたバッテリー構築例である。
【図８】従来の扁平型ラミネートフィルム二次電池を用いたバッテリーの構成図である。
【符号の説明】
１  扁平型ラミネートフィルム二次電池
２  正極端子
２ａ  正極体未塗布部
３  負極端子
３ａ  負極体未塗布部
４  第３の端子
５  正極体
６  負極体
７  セパレータ
８  発電要素体
９  ラミネートフィルム
１０  温度検出センサ
１１  セルバランサー回路用リード線
１２  制御回路基板
１３  バッテリー外装体
１４  スポンジシート（弾性材）
【図１】
0004228177.tif 000003
【図２】
0004228177.tif 000004
【図３】
0004228177.tif 000005
【図４】
0004228177.tif 000006
【図５】
0004228177.tif 000007
【図６】
0004228177.tif 000008
【図７】
0004228177.tif 000009
【図８】
0004228177.tif 000010